(57)【要約】【課題】頭切れを防止したデジタルコンテンツのムーブ処理技術を提供する。【解決手段】まず、ムーブ先機器Ｂからのコンテンツ再生要求３１に基づいてムーブ元機器Ａにおいて、実コンテンツパラメータを確認する（３２）。次いで、ダミーコンテンツのパラメータを実コンテンツのパラメータと一致するように設定した後、ダミーコンテンツの再生を開始する（３４）。次いで、認証とキー交換３５、３６を行った後、実コンテンツの再生を開始する（３７）。認証とキー交換（３５）、（３６）を行った時点までが暗号解読不能期間ｔ１であり、その後が暗号解読可能期間ｔ２である。暗号解読不能時間は、おおむね、ムーブ先機器からのコンテンツ再生要求から暗号解読が可能になった時間（認証キーを得て、ムーブ元機器との間でキー交換が完了した時点までの期間）を指す。【選択図】図３
2007102958.tif 000002
【特許請求の範囲】
【請求項１】
ストリームコンテンツを蓄積するコンテンツ蓄積部と、
前記ストリームコンテンツを暗号化する暗号化部と、
前記ストリームコンテンツのムーブ時に該ストリームコンテンツの先頭にダミー画面を再生するためのダミーデータを付加するダミーコンテンツデータ付加部と
暗号化された前記ストリームコンテンツをムーブ先機器側に提供するためのコンテンツデジタルインターフェースと
を有することを特徴とするコンテンツ記録装置。
【請求項２】
ストリームコンテンツのムーブ時に該ストリームコンテンツの先頭にダミー画面を再生するためのダミーデータが付加された状態のストリームコンテンツを蓄積するコンテンツ蓄積部と、
前記ストリームコンテンツを暗号化する暗号化部と、
暗号化された前記ストリームコンテンツをムーブ先機器側に提供するためのコンテンツデジタルインターフェースと
を有することを特徴とするコンテンツ記録装置。
【請求項３】
前記ダミーデータは暗号解読不能期間に相当する分だけ付加することを特徴とする請求項１又は２に記載のコンテンツ記録装置。
【請求項４】
前記暗号解読不能期間は、ムーブ先機器からのコンテンツ再生要求から暗号解読が可能になった時間であることを特徴とする請求項３に記載のコンテンツ記録装置。
【請求項５】
前記ダミーコンテンツの解像度又はアスペクトを含むフォーマットを前記ストリームコンテンツのフォーマットに合わせる方向に変換するフォーマット変換部を有することを特徴とする請求項１から４までのいずれか１項に記載のコンテンツ記録装置。
【請求項６】
記録されたコンテンツの解像度、アスペクトと同一の解像度、アスペクトとなるようにエンコーダでリアルタイムに前記ダミー画面のエンコードデータを作成する制御を行うことを特徴とする請求項５に記載のコンテンツ記録装置。
【請求項７】
前記コンテンツ付加部は、記録されたコンテンツの解像度、アスペクトと同一の解像度、アスペクトとなるようにあらかじめサポートする全ての解像度、アスペクトの前記ダミー画面をエンコードしたデータを前記コンテンツ蓄積部内に記録しておき、それをコンテンツの頭に付加して再生することを特徴とする請求項１に記載のコンテンツ記録装置。
【請求項８】
前記ダミー画面の時間を調整する機能を有することを特徴とする請求項１から７までのいずれか１項に記載のコンテンツ記録装置。
【請求項９】
前記ムーブ先機器との間で認証又は暗号キーの交換の少なくともいずれか一方を行う機能を有することを特徴とする請求項１から８までのいずれか１項に記載のコンテンツ記録装置。
【請求項１０】
請求項１から９までのいずれか１項に記載のコンテンツ記録装置と、
提供されたストリームコンテンツを受信するインターフェース部と、
暗号化コンテンツを復号する暗号解読部と
解読されたコンテンツを記録するコンテンツ記録部と
を有することを特徴とするストリームコンテンツ送受信システム。
【請求項１１】
蓄積されたストリームコンテンツを暗号化する暗号化ステップと、
前記ストリームコンテンツのムーブ時に該ストリームコンテンツの先頭にダミー画面を再生するためのダミーデータを付加するダミーコンテンツデータ付加ステップと、
暗号化された前記ストリームコンテンツをムーブ先機器側に出力するステップと
を有することを特徴とするコンテンツ提供方法。
【請求項１２】
ストリームコンテンツのムーブ時に該ストリームコンテンツの先頭にダミー画面を再生するためのダミーデータが付加された状態のストリームコンテンツを暗号化するステップと、
暗号化された前記ストリームコンテンツをムーブ先機器側に出力するステップと
を有することを特徴とするコンテンツ提供方法。
【発明の詳細な説明】
【技術分野】
【０００１】
本発明は、暗号化されたストリームコンテンツをムーブ先機器側に提供するためのコンテンツデジタルインターフェースを搭載した記録装置に関し、特に、ムーブ時におけるムーブ先機器側でのコンテンツの頭切れを防止する機能を有する記録装置に関する。
【背景技術】
【０００２】
デジタル放送においては、簡単にコピーが可能になると著作権上問題になるため、コピー制限が課されているのが一般的である。代表例であるコピーアットワンスでは、デジタル放送などのコピー制御がかかった信号を一度ＨＤＤレコーダなどのデジタル記録装置に記録すると、以後、コピーはできずに移動（ムーブ）しかできなくなる。
【０００３】
図５は一般的なストリームデータ記憶装置の構成例を示す機能ブロック図である。図６は、この装置におけるダビング時のシーケンス図である。
【０００４】
図５に示すように、ストリーム記録装置Ｘは、ＩＥＥＥ１３９４インターフェース１０１と、暗号装置１０３と、制御用ＣＰＵ１０５と、コンテンツ蓄積用ＨＤＤ１０７とを有している。一方、コピー先の記録装置Ｙは、ＩＥＥＥ１３９４インターフェース１１５と、暗号解読装置１１７と、制御用ＣＰＵ１２１と、コンテンツ蓄積用ＨＤＤ１２３と、を有している。ＩＥＥＥ１３９４インターフェース１０１・１１５は、ケーブル１１１により接続可能である。
【０００５】
図６に示すように、上記装置においては、まず、コピー先機器Ｙからのコンテンツ再生要求１３１に基づいてコピー元機器Ｘにおいてコンテンツ再生が開始される（１３２）。認証、キー交換（１３３，１３４）により暗号解読不能期間ｔ３から暗号解読可能期間ｔ４になる。
【０００６】
ＩＥＥＥ１３９４インターフェースの場合にはDTCP暗号化などの暗号化がかかっているため、ムーブ時は、暗号化ストリームをムーブ先機器に対して送出した後で、ムーブ元/ムーブ先の機器間で認証・暗号解読処理を行い、その後に初めてムーブ先の機器においては暗号を解読したストリームを得ることができる。
【０００７】
従って、暗号解読処理が終了するまでの時間の信号は捨てていたために、頭切れの状態でしかムーブ処理ができなかった。尚、この点をムーブ先機器側で認証タイミングを早めることで解決する技術がある（特許文献１参照）。
【０００８】
【特許文献１】特開２００１−４３６２１号公報
【発明の開示】
【発明が解決しようとする課題】
【０００９】
ムーブ先が上記のような機能を持たない場合には頭切れが発生する。特許文献１に記載の技術を用いた場合にも、ムーブ元機器がタイトルの再生開始時に一度ストリームデータを止めると認証処理からやり直さざるを得ないため、このようなムーブ元機器には対応できない（ムーブ元とムーブ先の組み合わせによっては対応できない）。
【００１０】
本発明は、頭切れを防止したデジタルコンテンツのムーブ処理技術を提供することを目的とする。
【課題を解決するための手段】
【００１１】
ムーブ元の機器側でタイトルの頭に認証時間分の余裕を持たしたダミーコンテンツを入れる。これにより、ムーブ先機器に対して頭切れの防止が可能となる。
【発明の効果】
【００１２】
ムーブ先機器がDVDレコーダ/DVHSなどの種々の機器に対して頭切れを防止したデジタルコンテンツのムーブ処理が可能となる。また、コンテンツの先頭に実際のコンテンツと同解像度のダミー画面を付加しているため、ダミー画面の再生終了後にテレビのフォーマット変換が起こらないため違和感のない映像表示が実現できる。
【発明を実施するための最良の形態】
【００１３】
以下、本発明の一実施の形態による暗号機能付デジタルインターフェースを備えたストリーム記録装置（以下、「記録装置」と称する。）について図面を参照しつつ説明を行う。
【００１４】
図１は、本実施の形態による記録装置の一構成例を示す図である。図１に示すように、本実施の形態によるストリーム記録装置Ａは、ＩＥＥＥ１３９４インターフェース１と、暗号装置３と、制御用ＣＰＵ５と、エンコーダ装置７と、コンテンツ蓄積用ＨＤＤ１１と、を有している。一方、ムーブ先の記録装置Ｂは、ＩＥＥＥ１３９４インターフェース２１と、暗号解読装置２３と、制御用ＣＰＵ２５と、コンテンツ蓄積用ＨＤＤ２７と、を有している。ＩＥＥＥ１３９４インターフェース１・２１は、ケーブル１５により接続可能である。コンテンツ蓄積用ＨＤＤ１１に蓄積する前にダミーコンテンツを実コンテンツに付加しても良いし、再生時にエンコードされた実コンテンツデータにダミーコンテンツデータを付加しても良いが、本明細書においては、図示しないが、ダミーコンテンツを付加する機能をダミーコンテンツ付加部と称する。
【００１５】
図２は、本実施の形態によるムーブ元のストリーム記録装置Ａにおける処理の流れを示すフローチャート図である。図２に示すように、ステップＳ１において、コンテンツ再生要求を受信する。次いで、ステップＳ２において、ＨＤＤ１１内のコンテンツパラメータを確認する。ステップＳ３において、エンコードパラメータを確認し、ステップＳ４において、エンコーダ７にダミーコンテンツ用のブランクを入力した後、ステップＳ５においてエンコードを開始する。ステップＳ６において暗号キーを設定し、ステップＳ７においてダミーコンテンツのムーブ先機器側への送信を開始する。ステップＳ８において認証、キー交換を行い、ステップＳ９において一定時間だけ待機した後にステップＳ１０においてムーブ先機器側のＨＤＤ内に転送されたコンテンツの再生を開始する。
【００１６】
尚、ステップＳ２とＳ３におけるパラメータは、解像度、アスペクト、コンテンツのＰＩＤなどを指す。ダミーコンテンツと実コンテンツとで、パラメータが異なるとダミーから実コンテンツへの切り替割時に映像が乱れるなどのショックがある。そこで、これらのパラメータを合わせるように設定する。
【００１７】
図３は、上記機器間のダビング処理時の概要を示すシーケンス図であり、図６に対応する図である。図３に示すように、上記装置においては、まず、ムーブ先機器Ｂからのコンテンツ再生要求３１に基づいてムーブ元機器Ａにおいて、実コンテンツパラメータを確認する（３２）。次いで、ダミーコンテンツのパラメータを実コンテンツのパラメータと一致するように設定した後、ダミーコンテンツの再生を開始する（３４）。次いで、認証とキー交換３５、３６を行った後、実コンテンツの再生を開始する（３７）。認証とキー交換３５、３６を行った時点までが暗号解読不能期間ｔ１であり、その後が暗号解読可能期間ｔ２である。暗号解読不能時間は、おおむね、ムーブ先機器からのコンテンツ再生要求から暗号解読が可能になった時間（認証キーを得て、ムーブ先機器との間でキー交換が完了した時点までの期間）を指す。
【００１８】
図４（ａ）は、ダミーコンテンツを含むコンテンツのデータ構成を示す図であり、先頭側にダミーコンテンツ４１が、その後に実コンテンツ４３が配置される。従って、図４（ｂ）に示すように、まずＨＤＤ内ダミー区間（ｔ１０〜ｔ１１）に基づく再生に次いで、ＨＤＤ内実コンテンツ再生区間（ｔ１１以降）に基づく再生が行われる。
【００１９】
このように、ムーブ元の機器Ａ側で予め、移動するタイトルの先頭に通常認証に要するだけの時間分だけのダミーコンテンツ（例えば黒画面などのダミー画面を再生するコンテンツ）を挿入した状態で移動処理を行うことにより、全てのムーブ先機器Ｂについて頭切れを防止する記録再生装置を実現することができる。
【００２０】
尚、その後に再生する実コンテンツと同じフォーマット(例えば、1920x1080i,720x480i 16:9 or 4:3など)に合わせるように再生時における上記黒画面のサイズを調整する制御を行うこともできる。これにより、コンテンツ先頭でのテレビ表示に関連するフォーマット切り替え処理を行わないようにすることができる。
【００２１】
また、予め、黒画面をエンコードしたデータをＨＤＤ内に記録しておき、ＨＤＤ内に記録したエンコードデータとタイトルとをインデックス又はＩＤにより関連付けしておけば、装置内にエンコーダの実装を行わなくても良いので装置が簡単化できるという利点がある。
【００２２】
また、コンテンツ送出時にエンコーダで黒画面をエンコードした画像を一定時間分送出後に実コンテンツを送出するように制御する構成でも良い。これにより、ＨＤＤの空き領域を確保することができるという利点がある。
【００２３】
尚、コンテンツ付加部において、記録されたコンテンツの解像度、アスペクトと同一の解像度、アスペクトとなるようにあらかじめサポートする全ての解像度、アスペクトの前記ダミー画面をエンコードしたデータをコンテンツ蓄積部内に記録しておき、それをコンテンツの頭に付加して再生するようにしても良いし、黒画面（ダミー画面）の時間を調整する機能を有していても良い。また、上記方法をコンピュータに実行させるためのプログラム、及びこのプログラムを記録した記憶媒体も発明の範囲に入るものである。
【００２４】
尚、コンテンツ送出バスがIEEE1394であっても、ＵＳＢであっても、また、イーサネットであっても良い。
【産業上の利用可能性】
【００２５】
本発明は、記録再生装置に利用可能である。ストリームの記録先がＨＤＤ、ＤＶＤ、ＢＤ(ブルーレイディスク)のいずれであっても良い。
【図面の簡単な説明】
【００２６】
【図１】本発明の一実施の形態による記録装置の一構成例を示す図である。
【図２】本実施の形態によるムーブ元のストリーム記録装置Ａにおける処理の流れを示すフローチャート図である。
【図３】機器間のダビング処理時の概要を示すシーケンス図である。
【図４】図４（ａ）は、ダミーコンテンツを含むコンテンツのデータ構成を示す図であり、図４（ｂ）は、ＨＤＤ内ダミー区間に基づく再生に次いで、ＨＤＤ内実コンテンツ再生区間に基づく再生が行われる様子を示す図である。
【図５】一般的なストリームデータ記憶装置の構成例を示す機能ブロック図である。
【図６】図５に示す装置におけるダビング時のシーケンス図である。
【符号の説明】
【００２７】
Ａ…ストリーム記録装置、１…ＩＥＥＥ１３９４インターフェース、３…暗号装置、５…制御用ＣＰＵ、７…エンコーダ装置、１１…コンテンツ蓄積用ＨＤＤ、１５…ケーブル、Ｂ…ムーブ先の記録装置、２１…ＩＥＥＥ１３９４インターフェース、２３…暗号解読装置、２５…制御用ＣＰＵ、２７…コンテンツ蓄積用ＨＤＤ。
【図１】
2007102958.tif 000003
【図２】
2007102958.tif 000004
【図３】
2007102958.tif 000005
【図４】
2007102958.tif 000006
【図５】
2007102958.tif 000007
【図６】
2007102958.tif 000008